(57)【要約】【課題】  必要な時に必要数の椅子を用意することができると共に、不要な時には容易に片付けることができるため入院患者らの通行又はベッドの移動の邪魔になることがないパネルシステムを提供する。また、安定性が高く、所望の振れ止め効果を得ることができるパネルシステムを提供する。【解決手段】  第１パネル１，１に対して直角に単又は複数の第２パネル２を連結して設置してなるパネルシステムＡであって、第２パネル２のパネル面に沿う水平軸まわりに回動可能とされた座板２４を、直接又は取付部材を介して第２パネル２に連結し、座板２４の裏面側に折り畳み脚２６，２７を取付けて折り畳み椅子ＦＳとしてなり、折り畳み椅子ＦＳの使用状態において前記脚２６，２７が床面Ｆに接地することにより、第２パネル２の遊端部の振れを抑制する。【選択図】        図７
2007002541.tif 000002
【特許請求の範囲】
【請求項１】
第１パネルに対して直角に単又は複数の第２パネルを連結して設置してなるパネルシステムであって、
前記第２パネルのパネル面に沿う水平軸まわりに回動可能とされた座板又は天板を、直接又は取付部材を介して前記第２パネルに連結し、該座板又は天板の裏面側に折り畳み脚を取付けて折り畳み椅子又はテーブルとしてなり、
該折り畳み椅子又はテーブルの使用状態において前記脚が床面に接地することにより、該椅子又はテーブルが前記第２パネルの遊端部の振れを抑制するパネルシステム。
【請求項２】
前記第２パネルを、複数の縦枠及び横枠により形成されるフレームのブロック毎にパネル板を着脱可能となしたブロックパネルとしてなる請求項１記載のパネルシステム。
【請求項３】
前記第２パネルに連結された座板又は天板をパネル板自体とし、前記折り畳み椅子又はテーブルの脚を前記第２パネル内に収納可能としてなる請求項１又は２記載のパネルシステム。
【請求項４】
前記折り畳み椅子又はテーブルを前記第２パネルの遊端部近傍に設けてなる請求項１記載のパネルシステム。
【請求項５】
前記折り畳み脚を枢支する、前記座板又は天板の裏面側に設けられた支軸の軸方向を、前記折り畳み椅子又はテーブルの使用状態において前記第２パネルに略直交する方向としてなる請求項１記載のパネルシステム。
【発明の詳細な説明】
【技術分野】
【０００１】
本発明は、室内空間を仕切るパネルシステムに係わり、更に詳しくは、特に病院における既存の大部屋病室等の個室化に適したパネルシステムに関するものである。
【背景技術】
【０００２】
従来、病院の大部屋病室は、廊下側の中央部に出入口があり、該出入口と対面する側には採光のための複数の窓を有し、その両側は構造壁で仕切られた構造が一般的であり、そして出入口から窓へ向かう通路となる共用空間を設け、その両側にベッドを取り囲むように設けられたカーテンで仕切られた個人用空間を設け、その空間内に構造壁側に頭が向くようにベッドが配置された形態が一般的であり、通常は４人部屋、あるいは６人部屋が多い。このような大部屋をカーテンのみで仕切った従来の個人用空間では、入院患者のプライバシーを確保することは殆ど不可能であるばかりでなく、他の患者に対する気遣いも必要であり、それが過度になると患者に心理的ストレスを生じさせたり、患者同士のトラブルの原因ともなり、お世辞にも快適な療養環境とは言えなかった。また、見舞い者や付添い人にとっても居心地が悪く、疲労感を増大させるものであった。
【０００３】
この改善策として、特許文献１には、病院の大部屋において左右で隣り合うベッドの間を床に設置するサイドパネルによって仕切り、前記各ベッドの頭部側には頭部側パネルを設置すると共に、各ベッドの足元側は開閉可能なカーテンを配置した病院の大部屋に形成した個室が開示されている。ここで、前記サイドパネルに、前記ベッドを使用する患者の視野に入る部位に平面状画面のテレビ受像機、又は、該受像機の取付支持具を設けると共に、前記サイドパネル又は頭部側パネルに前記ベッドに向けて人感知センサーを設ける点が開示されている。更に、パネルに積層タイプのブロックパネルを使用し、ブロックパネルの一部に光透過性のものを使用するか、又は、適宜の着色等を施したものを使用するか、若しくは、光透過性のパネルと着色等を施したパネルを使用する点、あるいはサイドパネル又は頭部側パネルには、収納機能を有する収納壁ブロックを使用する点も開示されている。
【０００４】
このような病院の大部屋の個室化パネルシステムにおいては、見舞い者らの人数に応じて椅子やテーブルを用意する必要があるが、これらの椅子やテーブルが入院患者らの通行又はベッドの移動の邪魔になるため、必要な時に椅子やテーブルを利用することができて、不要な時には容易に片付けることができるようにすることが望ましい。また、該パネルシステムは自立可能であるため、既設フロアに固定されずに載置される。したがって、特にサイドパネルの遊端部が不安定となることから、該遊端部のパネル垂直方向の安定性を向上するために、振れ止めを設けるのが好ましい。従来のパネルシステムとして、サイドパネルの遊端部の振れ止めを開示するものではないが、特許文献２には、パネルの下面に垂直軸まわりに自由に回転する脚体を装着する構成の開示があり、特許文献３及び特許文献４には、パネル上面と天井との間に支柱を立設する構成の開示がある。
【０００５】
【特許文献１】特開２００４−３５３４１６号公報（図１、図２）
【特許文献２】実用新案登録第２５０３１０１号公報（図１１）
【特許文献３】実公平３−８９１０号公報（第１図、第２図）
【特許文献４】米国特許第５９７４７４２号明細書（ＦＩＧ．６）
【発明の開示】
【発明が解決しようとする課題】
【０００６】
特許文献１の病院の大部屋の個室化パネルシステムには、見舞い者らの人数に応じて、必要数の椅子やテーブルを用意することができて、不要な時には容易に片付けることができるようにする構成の開示がない。また、サイドパネルの遊端部のパネル垂直方向の安定性を向上する振れ止めについての開示もない。
【０００７】
また、特許文献２のようなパネルシステムの構成では、パネルの下面のみに前記脚体を設けるため振れ止めの抑制効果が小さいこと、並びに、入院患者が前記脚体につまずきやすいこと及び入院患者がパネルに倒れかかった場合に不安定になりやすいこと等の問題がある。
【０００８】
さらに、特許文献３及び特許文献４のようなパネルシステムの構成では、特にサイドパネルの遊端部に支柱を設ける場合には、該支柱と天井との間及びパネル上面との間を固定するか、あるいは、上下方向に十分な突張力を付与して設ける必要がある。したがって、所望の振れ止め効果を得るためには、構成が大掛かりになるという問題がある。また、病院の大部屋の個室化パネルシステムにより仕切られた準個室において、多数の支柱が立設されると、大部屋病室内の美観を損なうこと及び入院患者らに圧迫感を与えること等の問題もある。
【０００９】
そこで、本発明が前述の状況に鑑み、解決しようとするところは、第１パネル（例えば頭部側パネル）に対して直角に単又は複数の第２パネル（例えばサイドパネル）を連結して設置してなるパネルシステムにおいて、必要な時に必要数の椅子やテーブルを用意することができると共に、不要な時には容易に片付けることができるため入院患者らの通行又はベッドの移動の邪魔になることがないパネルシステムを提供することを目的とする。また、入院患者らがつまずきにくく、第２パネルに人が倒れかかった場合等においても安定性が高く、かつ、所望の振れ止め効果を得ることができるパネルシステムを提供することを目的とする。さらに、大部屋病室内の美観を損なうことがなく、入院患者らに圧迫感を与えることがないパネルシステムを提供することを目的とする。
【課題を解決するための手段】
【００１０】
本発明に係るパネルシステムは、第１パネルに対して直角に単又は複数の第２パネルを連結して設置してなるパネルシステムであって、前記第２パネルのパネル面に沿う水平軸まわりに回動可能とされた座板又は天板を、直接又は取付部材を介して前記第２パネルに連結し、該座板又は天板の裏面側に折り畳み脚を取付けて折り畳み椅子又はテーブルとしてなり、該折り畳み椅子又はテーブルの使用状態において前記脚が床面に接地することにより、該椅子又はテーブルが前記第２パネルの遊端部の振れを抑制するものである。
【００１１】
ここで、前記第２パネルを、複数の縦枠及び横枠により形成されるフレームのブロック毎にパネル板を着脱可能となしたブロックパネルとしてなると好ましい。
【００１２】
また、前記第２パネルに連結された座板又は天板をパネル板自体とし、前記折り畳み椅子又はテーブルの脚を前記第２パネル内に収納可能としてなると好ましい。
【００１３】
さらに、前記折り畳み椅子又はテーブルを前記第２パネルの遊端部近傍に設けてなると好ましい。
【００１４】
さらにまた、前記折り畳み脚を枢支する、前記座板又は天板の裏面側に設けられた支軸の軸方向を、前記折り畳み椅子又はテーブルの使用状態において前記第２パネルに略直交する方向としてなると好ましい。
【発明の効果】
【００１５】
本発明に係るパネルシステムによれば、第１パネルに対して直角に単又は複数の第２パネルを連結して設置してなるパネルシステムであって、前記第２パネルのパネル面に沿う水平軸まわりに回動可能とされた座板又は天板を、直接又は取付部材を介して前記第２パネルに連結し、該座板又は天板の裏面側に折り畳み脚を取付けて折り畳み椅子又はテーブルとしてなり、該折り畳み椅子又はテーブルの使用状態において前記脚が床面に接地することにより、該椅子又はテーブルが前記第２パネルの遊端部の振れを抑制するので、必要な時に必要数の椅子やテーブルを用意することができると共に、不要な時には容易に片付けることができるため入院患者らの通行又はベッドの移動の邪魔になることがない。また、入院患者らがつまずきにくく、第２パネルに人が倒れかかった場合等においても安定性が高く、かつ、第２パネルの振れ止めを効果的に行うことができる。さらに、大部屋病室内の美観を損なうことがなく、入院患者らに圧迫感を与えることがない。
【００１６】
また、前記第２パネルを、複数の縦枠及び横枠により形成されるフレームのブロック毎にパネル板を着脱可能となしたブロックパネルとしてなると、使用者の要求に応じて前記折り畳み椅子又はテーブルの位置の変更を行うこと、並びに、前記折り畳み椅子又はテーブルの使用人数の増減及び振れ止め性能の加減のために前記折り畳み椅子又はテーブルの個数を増減することを容易に行うことができる。
【００１７】
さらに、前記第２パネルに連結された座板又は天板をパネル板自体とし、前記折り畳み椅子又はテーブルの脚を前記第２パネル内に収納可能としてなると、前記折り畳み椅子又はテーブルの脚を収納状態とすれば、入院患者らの通行又はベッドの移動の邪魔になることが全くないと共にパネル面が略面一となるため美観上も好ましい。
【００１８】
さらにまた、前記折り畳み椅子又はテーブルを前記第２パネルの遊端部近傍に設けてなると、該遊端部近傍の折り畳み椅子又はテーブルにより前記第２パネルの遊端部の振れ止めをより効果的に行うことができる。
【００１９】
また、前記折り畳み脚を枢支する、前記座板又は天板の裏面側に設けられた支軸の軸方向を、前記折り畳み椅子又はテーブルの使用状態において前記第２パネルに略直交する方向としてなると、前記折り畳み椅子又はテーブルの脚の前記第２パネルに直交する方向の剛性が低下しないため、前記第２パネルの遊端部の振れをさらに効果的に抑制することができる。
【発明を実施するための最良の形態】
【００２０】
次に、本発明の実施形態を添付図面に基づき詳細に説明する。図１は、本発明に係る大部屋の個室化パネルシステムが用いられた大部屋病室の例を示す平面図である。図１において、病院の大部屋病室Ｒは、廊下側の中央部に出入口Ｄがあり、該出入口Ｄと対面する側には採光のための複数の窓Ｗ，Ｗを有し、その両側は構造壁Ｃ，Ｃで仕切られており、出入口Ｄから窓Ｗ，Ｗ側まで共用空間Ｓが設けられている。そして、大部屋の個室化パネルシステムＡ，Ａ及び共用空間Ｓに面するカーテンＣＴ，ＣＴにより、準個室Ｒ１〜Ｒ４が形成される。また、構造壁Ｃ側に頭部側を向けてベッドＢ，…が配置される。なお、カーテンＣＴの代わりに、ロールカーテン、パネルカーテン又は衝立等の開閉可能な仕切手段を配置してもよい。
【００２１】
大部屋の個室化パネルシステムＡは、例えば大部屋Ｒの構造壁Ｃに沿って第１パネルである壁側パネル１，１を設置すると共に、該壁側パネル１，１に対して直角に連結された第２パネルであるサイドパネル２により形成される平面視略Ｔ字状のものであり、該サイドパネル２により、準個室Ｒ１，Ｒ２（Ｒ３，Ｒ４）間が仕切られる。尚、該個室化パネルシステムＡは、壁側パネル１，…に対して、複数のサイドパネル２，…を、間隔を置いて平面視π字状に連結して構成してもよい。この場合は、一方の構造壁Ｃの側に三つの準個室が形成され、大部屋Ｒを６人部屋として使用できる。
【００２２】
このような大部屋の個室化パネルシステムＡ，…を用いると共に、該パネルシステムＡのサイドパネル２の遊端側に開閉可能なカーテンＣＴを配置すれば、既設の大部屋Ｒに、よりプライバシーが確保された準個室Ｒ１，…を容易に形成することができる。また、本発明に係る大部屋の個室化パネルシステムＡは、壁側パネル１，１にサイドパネル２を平面視略Ｔ字状、あるいは平面視略π字状に連結した構造体であるので、床面Ｆに自立状態で設置することが可能であり、構造壁Ｃや床面Ｆに何ら手を加える必要がない。従って、既存の病院の大部屋Ｒに、短時間で簡単に設置することが可能であり、その際に騒音等が発生しないので、他の大部屋の入院患者はそのままの状態で施工することも可能である。
【００２３】
図２〜図４は、壁側パネル及びサイドパネルを構成する間仕切パネルの構造の説明図であり、図２は部分分解斜視図、図３はパネル板を縦枠に取付ける構造を示す部分分解斜視図、図４は、フレームの表裏両面にパネル板を取付けた状態を示す縦断側面図である。
【００２４】
第１パネルである壁側パネル１及び第２パネルであるサイドパネル２を構成する間仕切パネルは、フレーム１１の表裏に複数枚のパネル板２１，…を上下方向に配列させて着脱可能とした積層タイプのブロックパネル構造である。フレーム１１は両側縦枠１２，１２間に複数の横枠１３，…を横設してなり、縦枠１２のパネル板２１取付面には開口１２ａ，…が形成されている。
【００２５】
パネル板２１の両側縁部の裏面（フレーム１１に対向する面）には、上下の取付孔２１ａ，２１ａが形成されている。そして、該上下の取付孔２１ａ，２１ａには、上部連結具３１及び下部連結具３２が内嵌される。そして、前記フレーム１１の両側の縦枠１２，１２に形成した上下左右の開口１２ａ，…に、前記下部連結具３２に設けた下向きフック３２ａを係止すると共に、前記上部連結具３１に設けた係合爪３１ａを抜止め状態で弾性係合させて前記パネル板２１を取付ける。したがって、パネル板２１，…は、壁側パネル１及びサイドパネル２を構成する間仕切パネルのフレーム１１，…に容易に着脱することができる。尚、上下のパネル板２１，２１間には、横目地材２２が配設されており、上下のパネル板間の間隙を塞ぐと共に特に意匠面での統一感を向上することができる。
【００２６】
図５及び図６は、間仕切パネルの連結構造の説明図であり、図５は分解斜視図、図６は横断平面図である。連結ブロック４１は、水平方向の直交する４方向に間仕切パネルを連結することができる構造となっており、該４方向のうちの１方向には、直接縦枠１２が、その通孔１２ｂを通して取付ボルト４３を螺孔４１ｂに螺合させることにより取付けられる。そして、他の３方向には、通孔４２ｂ，４２ｂを通して螺孔４１ａ，４１ａに取付ネジ４４，４４を螺合させて取付部材４２を連結ブロック４１に固定した状態で、その通孔１２ｂを通して取付ボルト４３を取付部材４２の螺孔４２ａに螺合させることにより、縦枠１２を取付けることができる。
【００２７】
したがって、図５及び図６に示すように、平面視略Ｔ字状の個室化パネルシステムＡにおける壁側パネル１，１及びサイドパネル２を強固にかつ容易に連結することができる。尚、連結ブロック４１には、壁側パネル１，１及びサイドパネル２が連結されない部分に連結部カバー４５が装着され、壁側パネル１及びサイドパネル２間の目地部には、突起部４１ｃ，４１ｃに目地カバー４６，４６が装着される。また、サイドパネル２の遊端部には側カバー４７が装着される。
【００２８】
本実施形態では、前記準個室に面する壁側パネル１及びサイドパネル２は、それぞれ３枚の間仕切パネルを直線状に連結して構成されている。各間仕切パネルを直線状に連結するには、隣接するフレーム１１，１１の両側縦枠１２，１２同士を、その間に図示しない連結ブロックを介して直接ボルトで連結する。ここで、前記間仕切パネルは、横幅が９００ｍｍ、あるいは６００ｍｍ、厚さが９０ｍｍのものを使用している。また、前記パネル板２１の上下幅は、前記フレーム１１の縦枠１２に形成した開口１２ａ，…の最小上下間隔に取付けることが可能な最小基準幅の整数倍で自由に決定することができる。
【００２９】
図７〜図１０は、本発明に係るパネルシステムの構成例の説明図であり、図７は大部屋の個室化パネルシステムＡのサイドパネル２により仕切られた準個室Ｒ１，Ｒ２を示す斜視図、図８は折り畳み椅子ＦＳの使用状態を示す斜視図、図９は同じく縦断側面図、図１０はサイドパネル２内に折り畳み椅子の脚２６，２７を収納した状態を示す図であり、図１０（ａ）は折り畳み脚２６，２７を裏面側に備えたパネル板２３，２４を取り外した状態の正面図、図１０（ｂ）は該パネル板２３，３４の背面図である。なお、以下において、折り畳み椅子ＦＳの各構成部品についての方向の記載は、該折り畳み椅子の使用状態における方向を示し、第２パネルであるサイドパネル２のパネル面から離間する方向を前、前方に向かって左右を左右とする。
【００３０】
折り畳み椅子ＦＳは、サイドパネル２内に折り畳み脚２６，２７を収納可能に構成され、該折り畳み椅子ＦＳは、サイドパネル２両面のブロックの適宜位置に取付けることができる。図７は、折り畳み椅子ＦＳを、サイドパネル２の遊端部近傍の最下ブロックの片側（準個室Ｒ２側）に設けた場合を示しているが、本発明の構成はこのような場合に限定されるものではなく、折り畳み椅子ＦＳをサイドパネル２の両面に設けてもよいし、必ずしもサイドパネル２の遊端部近傍に設ける必要はない。しかし、折り畳み椅子ＦＳをサイドパネル２の遊端部近傍に設けると、該遊端部近傍の折り畳み椅子ＦＳによりサイドパネル２の遊端部の振れ止めをより効果的に行うことができる。
【００３１】
サイドパネル２は、縦枠１２，…及び横枠１３，…により形成されるフレーム１１のブロック毎にパネル板２１，…等を着脱可能となしたブロックパネルであるので、使用者の要求に応じて折り畳み椅子ＦＳの位置の変更を行うこと、並びに、折り畳み椅子ＦＳの使用者（見舞い者ら）の人数の増減及び振れ止め性能の加減のために折り畳み椅子ＦＳ，…の個数を増減することを容易に行うことができる。また、折り畳み椅子ＦＳ，…を折り畳めば、入院患者らの通行又はベッドの移動の邪魔になることはない。なお、図７において、壁側パネル１，１及びサイドパネル２の遊端部（側端部）には側カバー４７，…が、上面には笠木４８，…が、最下のパネル板の下側には巾木４９，…が装着される。
【００３２】
図８〜図１０は、サイドパネル２の遊端部近傍の片面（図７の準個室Ｒ１側）に折り畳み椅子ＦＳを設けた場合を示している。パネル板２３及びパネル板２４は、左右方向（パネル面に沿う水平方向）のヒンジ２５，…により連結されているため、パネル板２４は、切欠き２４ａを持って、パネル板２３に対して前方に回動させて水平状態として座板とすることができる。そして、パネル板２４の裏面２４ｂ側の折り畳み脚２６，２７を立てて床面Ｆに接地させれば、図８及び図９に示すように、床面Ｆ上に容易に椅子が形成される。
【００３３】
図９及び図１０に示すように、パネル板２３は、上述したパネル板２１の取付けと同様に、上部連結具３１，３１を縦枠１２，１２の開口１２ａ，１２ａに係合させることにより、容易に取付けることができる。また、座板であるパネル板２４の裏面２４ｂには、左右枠２８，２８及び前後枠２９，２９が取付けられ、左右枠２８，２８間の左右には支軸３０，３０が架設される。そして、折り畳み脚２６，２７は、それぞれ左右の支軸３０，３０まわりに回動するため、収納状態から該支軸３０，３０まわりに回動させて左右に広げることにより、折り畳み椅子ＦＳが使用可能な状態となる。
【００３４】
支軸３０には連結部材２６ａ（２７ａ）が外嵌され、該連結部材２６ａ（２７ａ）の前部（後部）には支脚２６ｂ（２７ｂ）が固定され、該支脚２６ｂ（２７ｂ）の下部には接地部材２６ｃ（２７ｃ）が固定され、側面視略コ字状の脚を形成している。また、連結部材２６ａと支脚２６ｂ（連結部材２７ａと支脚２７ｂ）との間は、補強部材２６ｄ（２７ｄ）により補強されている。
【００３５】
このような構成によれば、パネルの下面に脚体を装着する特許文献２のような構成に比べ、サイドパネル２のフレーム１１の縦枠１２，１２の上下方向の中間部分を、パネル板２３、ヒンジ２５，…、座板であるパネル板２４、側面視略コ字状の脚２６，２７により支持することができるため、折り畳み椅子ＦＳにより、サイドパネル２の遊端部の振れを効果的に抑制することができると共にサイドパネルに入院患者らが倒れかかった場合においても安定性が高い。
【００３６】
また、パネルの下面のみに脚体を設けるような視認しにくい構成ではないため、入院患者らがつまずきにくい。さらに、該折り畳み椅子ＦＳは、脚をサイドパネル２内に容易に収納することができるため、該脚の収納状態とすれば、入院患者らの通行又はベッドの移動の邪魔になることは全くない。さらにまた、パネル面が略面一となるため美観上も好ましい。また、支柱を立設する特許文献３及び４のような構成に比べ、大部屋病室Ｒ内の美観を損なうことがなく、入院患者らに圧迫感を与えることがない。
【００３７】
折り畳み椅子ＦＳの座板であるパネル板２４の裏面２４ｂ側に設けられた、折り畳み脚２６，２７を枢支する左右の支軸３０，３０の軸方向は、折り畳み椅子ＦＳの使用状態において略前後方向（サイドパネル２に略直交する方向）となっている。したがって、サイドパネル２のパネル面に直交する倒れ方向と折り畳み脚２６，２７の折り畳み方向とが略直交するように構成されている。よって、折り畳み椅子ＦＳは折り畳み可能であるが故に、負荷の方向によっては剛性が低下するが、支軸３０，３０の軸方向をサイドパネル２に略直交する方向とする構成により、椅子のサイドパネル２に直交する方向の剛性が低下しないため、前記サイドパネルの遊端部の振れをさらに効果的に抑制することができる。
【００３８】
図１１及び図１２は、本発明に係るパネルシステムの別の構成例の説明図であり、図１１は折り畳み椅子ＦＳの使用状態を示す斜視図、図１２はサイドパネル２内に折り畳み椅子の脚５４，５５を収納した状態を示す図であり、図１２（ａ）は折り畳み脚５４，５５を裏面側に備えたパネル板５１，５２を取り外した状態の正面図、図１２（ｂ）は該パネル板５１，５２の背面図である。
【００３９】
パネル板５１及びパネル板５２は、左右方向（パネル面に沿う水平方向）のヒンジ５３，５３により連結されているため、パネル板５２は、パネル板５１に対して前方に回動させて水平状態として座板とすることができる。そして、パネル板５２の裏面５２ａ側の折り畳み脚５４，５５を立てれば、図１１に示すように、床面Ｆ上に容易に椅子が形成される。
【００４０】
図１２に示すように、パネル板５２は、上部連結具３１，３１及び下部連結具３２を縦枠１２，１２の開口１２ａ，…に係合させることにより、容易に取付けることができる。また、座板であるパネル板５２の裏面５２ａには、左右枠５６，５６及び前後枠５７，５７が取付けられ、左右枠５６，５６間の左右には支軸５８，５８が架設される。そして、折り畳み脚５４，５５は、それぞれ左右の支軸５８，５８まわりに回動するため、収納状態から該支軸５８，５８まわりに回動させて左右に広げることにより、折り畳み椅子ＦＳが使用可能な状態となる。
【００４１】
支軸５８には連結部材５４ａ（５５ａ）が外嵌され、該連結部材５４ａ（５５ａ）の前部（後部）には支脚５４ｂ（５５ｂ）が固定され、該支脚５４ｂ（５５ｂ）の下部には接地部材５４ｃ（５５ｃ）が固定され、側面視略コ字状の脚を形成している。
【００４２】
以上のような図１１及び図１２の構成によっても、図８〜図１０の構成と同様の作用効果を奏する。図１１及び図１２の構成によれば、サイドパネル２の両面に折り畳み椅子ＦＳ，ＦＳを設けているので、さらにサイドパネル２の遊端部の振れを効果的に抑制することができる。
【００４３】
図１３は、パネル板とは別体の座板を取付部材を介して第２パネルであるサイドパネル２に取付ける構成を示す縦断側面図であり、折り畳み椅子ＦＳの使用状態を示している。図１０に示すように、フレーム１１の左右の縦枠１２，１２にはオプション支持用のフックを係止するための係止孔１２ｃ，…が一定間隔毎に形成されているため、該係止孔１２ｃ，…を用いて、左右のブラケット６２，６２のフック６２ａ，…が係止される。そして、該ブラケット６２，６２には、上下左右の枠板からなるフレーム６３が取付けられる。これら左右のブラケット６２，６２及びフレーム６３が取付部材６１を構成する。
【００４４】
フレーム６３の上部の左右に延びる枠板には、左右方向（パネル面に沿う水平方向）のヒンジ２５，…を介して、パネル板とは別体の座板６４が取付けられ、該座板６４の裏面６４ｂ側には、図８〜図１０と同様の折り畳み脚２６，２７が取付けられる。折り畳み脚２６，２７を折り畳んだ状態では、サイドパネル２のパネル板２１の表面から、取付部材６１及び座板６４が突出しているが、この突出量は、例えば８０ｍｍ程度であるので入院患者らの通行又はベッドの移動の邪魔になることは殆どない。その他の作用効果は、図８〜図１０の構成と同様である。
【００４５】
以上の説明においては、折り畳み椅子ＦＳにより振れ止めを行う場合について説明したが、座板２４，５２，６４を天板とするテーブルにより振れ止めを行ってもよい。さらに、サイドパネル２がブロックパネルである場合について説明したが、サイドパネル２はこのような構成に限定されない。
【産業上の利用可能性】
【００４６】
本発明に係るパネルシステムによる大部屋の個室化パネルシステムは、病院の大部屋病室に適用することを主な用途とするが、その他の既存の大部屋を個室化する用途、例えば簡易宿泊所、緊急避難所等において大部屋、例えば体育館や公民館等の室内を複数に区画して個室化する用途にも適用できるものである。
【図面の簡単な説明】
【００４７】
【図１】本発明に係る大部屋の個室化パネルシステムが用いられた大部屋病室の例を示す平面図である。
【図２】壁側パネル及びサイドパネルを構成する間仕切パネルの構造の部分分解斜視図である。
【図３】パネル板を縦枠に取付ける構造を示す部分分解斜視図である。
【図４】フレームの表裏両面にパネル板を取付けた状態を示す縦断側面図である。
【図５】間仕切パネルの連結構造を示す分解斜視図である。
【図６】同じく横断平面図である。
【図７】本発明に係るパネルシステムの構成例を示す斜視図である。
【図８】折り畳み椅子の使用状態を示す斜視図である。
【図９】同じく縦断側面図である。
【図１０】サイドパネル内に折り畳み椅子の脚を収納した状態を示す図であり、（ａ）は折り畳み脚を裏面側に備えたパネル板を取り外した状態の正面図、（ｂ）は該パネル板の背面図である。
【図１１】折り畳み椅子の別の構成例を示す斜視図である。
【図１２】サイドパネル内に折り畳み椅子の脚を収納した状態を示す図であり、（ａ）は折り畳み脚を裏面側に備えたパネル板を取り外した状態の正面図、（ｂ）は該パネル板の背面図である。
【図１３】パネル板とは別体の座板を取付部材を介してサイドパネルに取付ける構成を示す縦断側面図である。
【符号の説明】
【００４８】
Ａ  大部屋の個室化パネルシステム
Ｂ  ベッド
Ｃ  構造壁
ＣＴ  カーテン
Ｄ  出入口
Ｆ  床面
ＦＳ  折り畳み椅子
Ｒ  大部屋
Ｒ１〜Ｒ４  準個室
Ｓ  共用空間
Ｗ  窓
１  壁側パネル（第１パネル）
２  サイドパネル（第２パネル）
１１  フレーム
１２  縦枠
１２ａ  開口
１２ｃ  係止孔
１３  横枠
２１  パネル板
２１ａ  取付孔
２３  パネル板
２４  パネル板（座板）
２４ａ  切欠き
２４ｂ  裏面
２５  ヒンジ
２６，２７  折り畳み脚
２６ａ，２７ａ  連結部材
２６ｂ，２７ｂ  支脚
２６ｃ，２７ｃ  接地部材
２６ｄ，２７ｄ  補強部材
２８  左右枠
２９  前後枠
３０  支軸
３１  上部連結具
３１ａ  係合爪
３２  下部連結具
３２ａ  フック
５１  パネル板
５２  パネル板（座板）
５２ａ  裏面
５３  ヒンジ
５４，５５  折り畳み脚
５４ａ，５５ａ  連結部材
５４ｂ，５５ｂ  支脚
５４ｃ，５５ｃ  接地部材
５６  左右枠
５７  前後枠
５８  支軸
６１  取付部材
６２  ブラケット
６２ａ  フック
６４  座板
６４ｂ  裏面
６５  ヒンジ
【図１】
2007002541.tif 000003
【図２】
2007002541.tif 000004
【図３】
2007002541.tif 000005
【図４】
2007002541.tif 000006
【図５】
2007002541.tif 000007
【図６】
2007002541.tif 000008
【図７】
2007002541.tif 000009
【図８】
2007002541.tif 000010
【図９】
2007002541.tif 000011
【図１０】
2007002541.tif 000012
【図１１】
2007002541.tif 000013
【図１２】
2007002541.tif 000014
【図１３】
2007002541.tif 000015